(57)【要約】【課題】  現在市販されている又は既に使われている安価なファイルに貼付して、そのファイルに収容された書類の表題等を表示するとともに、収容した書類が廃棄されたり、倉庫やダンボール箱等に保存されたりして、ファイルの表題等が変更された場合でも、表題等の書き直しのために背表紙が汚くなることなく、何度も使用できるようにする。【解決手段】  表面に透明な袋２を有するとともに背面に粘着層３を有し、書類を収容するファイルの背見出し部に当該背面を貼り付けるシール本体１と、書類を識別するためにシール本体１の透明な袋２に着脱可能に挿入される識別カード５と、を備え、ファイルの書類が変更されたときは、識別カードを差し替える。【選択図】    図４
2009119818.tif 000002
【特許請求の範囲】
【請求項１】
表面に透明な袋を有するとともに背面に粘着層を有し、書類を収容するファイルの背見出し部に当該背面を貼り付けるシール本体と、
前記書類を識別するために前記シール本体の前記透明な袋に着脱可能に挿入される識別カードと、
を備えたことを特徴とするファイル用貼付シールセット。
【請求項２】
前記識別カードの表面の一部には、撮像手段を有する所定の情報処理装置によって光学的に読み取り可能な２次元の識別コードが表示されていることを特徴とする請求項１に記載のファイル用貼付シールセット。
【請求項３】
前記識別カードには、２次元の識別コードのサイズを表す情報が表示されていることを特徴とする請求項２に記載のファイル用貼付シールセット。
【請求項４】
前記２次元の識別コードには、インターネット上の情報リソースのサイトにアクセスするためのアドレスであるＵＲＬ、及び、文化、スポーツ、若しくは学術の分野に関する豆知識の情報又は当該ＵＲＬに対して解答を送信できるクイズの情報がさらに含まれていることを特徴とする請求項３に記載のファイル用貼付シールセット。
【請求項５】
前記識別カードには、２次元の識別コードのサイズを表す色彩のパターンが表示されていることを特徴とする請求項２に記載のファイル用貼付シールセット。
【請求項６】
２次元の識別コードの情報を管理する情報処理装置であって、
操作手段と、
複数の識別コード及び各識別コードに関連する情報のデータベースを有する記憶手段と、
撮像手段と、
表示手段と、
前記操作手段により識別コード読み取りの指令が入力されたときは、前記撮像手段によって撮像される識別コードの画像の画角をガイドする枠画像を前記表示手段に表示し、前記撮像手段で撮像された識別コードの画像が合焦点になったときの静止画像を取り込み、当該静止画像から識別コードを抽出して前記記憶手段のデータベースに記憶するとともに、前記操作手段又は外部装置から識別コードに関連する情報が入力されたときは当該関連する識別コードに対応させて当該入力された情報を前記記憶手段のデータベースに記憶する制御手段と、
を備えたことを特徴とする情報処理装置。
【請求項７】
前記制御手段は、前記操作手段によって入力された識別コード読み取りの指令に含まれているデータに基づいて、前記撮像手段によって撮像される識別コードの画像が合焦点になるときの枠画像のサイズを決定することを特徴とする請求項６に記載の情報処理装置。
【請求項８】
前記制御手段は、前記操作手段により識別コード読み取りの指令が入力されたときは、前記撮像手段によって撮像される識別コードの画像の中から特定の色彩の画像の有無を検出し、当該検出結果に基づいて当該撮像される識別コードの画像が合焦点になるときの枠画像のサイズを決定することを特徴とする請求項６に記載の情報処理装置。
【請求項９】
前記撮像手段によって撮像された識別コードの画像のノイズを低減するノイズ低減手段をさらに備え、当該ノイズ低減処理を行うメディアンフィルタ回路に、入力された複数ビットからなる第１のデジタルデータおよび第２のデジタルデータをビットごとに比較する複数のビット比較回路を備え、各ビット比較回路は、上位のビットの比較回路から下位のビットの比較回路に情報を伝達する第１系統の伝送路と、比較すべき第１のデジタルデータおよび第２のデジタルデータのビット値に応じて情報を出力する第２系統の伝送路と、
を有することを特徴とする請求項６に記載の情報処理装置。
【発明の詳細な説明】
【技術分野】
【０００１】
本発明は、ファイル用貼付シールセット及びそのシールセットの識別カードに表示される２次元の識別コードの情報を管理する情報処理装置に関するものである。
【背景技術】
【０００２】
近年の情報技術及びコンピュータシステムの進歩によって、情報の電子化は飛躍的に普及している。これに伴って、情報を記録する媒体として磁気ディスク、光ディスク、半導体メモリなどが多く使用されてきている。かかる情報の電子化にもかかわらず、書類として情報を管理する方法も企業や学校その他の様々な組織の中で広く行われている。書類を管理する方法として最も普及しているのがファイルである。市販されているファイルは、書類のサイズや枚数に応じて様々な形状になっているとともに、ボール紙を使用した安価なものからハードカバー及びスプリング付きの止め金具を使用した高価なものまで種々用意されている。ファイルの種類にかかわらず、そこに収容された書類を管理するために、ファイルの背見出しに書類の表題を記載する方法が最も多く採用されている。
【０００３】
また、ファイルに収容された書類を管理するために、管理用のファイルを別に作成したり、パソコンやサーバなどに書類の管理情報を保管したりして、書類を収容したファイルの登録、更新、削除、検索などが行われている。
【０００４】
ところで、収容されている書類が廃棄される場合やその内容に変更があった場合には、ファイルの背見出しに記載された表題も変更する必要がある。このために、背表紙に入れ替え式の構造を設けてカードや用紙を挿入し、書類の標題を認識できるようになっているものが販売されている（非特許文献１の２６６頁等参照）。
例えば、ある提案のファイルにおいては、相対向する表紙部１１ａ、１１ｂ及びこれらをその一側部で連接させる透明又は半透明な背部１２からなるファイル本体１３と、このファイル本体１３の背部１２内側にシート１４を貼り付け、背部１２と協働して形成された背見出し差し入れ用の袋状部１５とを備える（特許文献３の要約及び図１参照）。
また、ある提案の綴込ファイルにおいては、背部１３と表表紙１４及び裏表紙１５とからなるファイル表紙１の内側面に綴じ具２を備えるとともに、ファイル表紙１の背部１３の外側面の全体に透明フィルムよりなる背見出しカバー３を備え、カバーに背見出し紙を差替え可能に差し込むように構成した綴込ファイルにおいて、ファイル表紙１の背部１３及びカバーの下端部近くには位置を合致させて設けた手掛用の孔１６、３５を備え、背見出し紙４の端部近くには手掛用の孔１６、３５と対応させて設けた手掛用の孔４１を備えている（特許文献４の段落番号００１１ないし００２３及び図１参照）。
これに対して、比較的安価なファイルの場合には、ある提案の背見出し構造において、ファイル１における背表紙１１の表面又は表面に貼着した背見出し片２の表面に筆記欄を形成した背見出し部を設けるとともに、複数の背レッテル３を剥離可能な接着剤層４を介して積層貼着けする（特許文献１の要約及び図２参照）。
また、ある提案のバインダーにおいては、日常用バインダーに設けた透明なポケットに背見出しシード１を入れて使用する。背見出しシートは、書類等の日常用バインダーから保存用バインダーへの移行の際に縦ミシン目５から左右に二分され、一方は保存用バインダーに貼付され、他方は保存用ボックスの例えばペースシートに貼付される。日常用バインダーは繰り返し使用される（特許文献２の要約及び図１参照）。
【特許文献１】実開平５−３１９８８号公報
【特許文献２】実開平６−４２２５２号公報
【特許文献３】特開平７−１２５４８８号公報
【特許文献４】特許第３７０９５５５号（特開２００１−２３４２８７号公報）
【非特許文献１】アスクル；カタログ２００７秋・冬号；２６６頁「コクヨ製バインダーＭＰ」「プラス製ＭＰバインダー」：２２８頁「パイプ式ファイル」：２６２頁「布貼り３０穴リングファイル」
【発明の開示】
【発明が解決しようとする課題】
【０００５】
しかしながら、従来の文献に記載された技術においては、非特許文献１、特許文献２、特許文献３、特許文献４のように背表紙に入れ替え式の構造を設けても、販売価格に対してその構造にかかる製造コストは小さいが、安価な価格のファイルの場合にはその構造にかかる製造コストは大きい。したがって、実際に市販されている安価なボール紙製のファイルの場合には、背表紙に入れ替え式の構造を設けられていないので、ファイルを無駄なく且つきれいな状態で利用する構成にはなっていなかった。
一方、従来の安価なファイルに関して、特許文献１の場合には、表題等の書き直しがない場合には、２枚目以降の背レッテルが無駄になり、一方、頻繁に表題等の書き直しがある場合には、背レッテルの枚数が足りなくなってしまう。したがって、個々のユーザの要望に対応した商品にはなっていない。また、特許文献２の場合には、透明なポケットを有する日常用バインダー及び保存用バインダーの２種類が必要になる。すなわち、従来の安価なファイルの場合には、その背表紙に書類の表題等を表示するとともに、収容した書類が廃棄されたり、倉庫やダンボール箱等に保存されたりして、ファイルの表題等が変更された場合でも、表題等の書き直しのために背表紙が汚くなることなく、何度も使用できるようにはなっていなかった。
【０００６】
本発明は、このような従来の課題を解決するためになされたもので、現在市販されている又は既に使われている安価なファイルに貼付して、そのファイルに収容された書類の表題等を表示するとともに、収容した書類が廃棄されたり、倉庫やダンボール箱等に保存されたりして、ファイルの表題等が変更された場合でも、表題等の書き直しのために背表紙が汚くなることなく、何度も使用できるようにすることを目的とする。
【０００７】
また、現在広く普及している情報処理装置を利用して、ファイルに収容された書類が簡単に管理できるようにすることを目的とする。
【課題を解決するための手段】
【０００８】
本発明のファイル用貼付シールセットは、表面に透明な袋を有するとともに背面に粘着層を有し、書類を収容するファイルの背見出し部に当該背面を貼り付けるシール本体と、書類を識別するためにシール本体の透明な袋に着脱可能に挿入される識別カードと、を備えたことを特徴とする。
【０００９】
本発明の情報管理装置は、２次元の識別コードの情報を管理するものであって、
操作手段と、複数の識別コード及び各識別コードに関連する情報のデータベースを有する記憶手段と、撮像手段と、表示手段と、操作手段により識別コード読み取りの指令が入力されたときは、撮像手段によって撮像される識別コードの画像の画角をガイドする枠画像を前記表示手段に表示し、撮像手段で撮像された識別コードの画像が合焦点になったときの静止画像を取り込み、当該静止画像から識別コードを抽出して記憶手段のデータベースに記憶するとともに、操作手段又は外部装置から識別コードに関連する情報が入力されたときは当該関連する識別コードに対応させて当該入力された情報を記憶手段のデータベースに記憶する制御手段と、を備えたことを特徴とする。
【００１０】
本発明の情報管理装置において、撮像手段によって撮像された識別コードの画像のノイズを低減するノイズ低減手段をさらに備え、当該ノイズ低減処理を行うメディアンフィルタ回路に、入力された複数ビットからなる第１のデジタルデータおよび第２のデジタルデータをビットごとに比較する複数のビット比較回路を備え、各ビット比較回路は、上位のビットの比較回路から下位のビットの比較回路に情報を伝達する第１系統の伝送路と、比較すべき第１のデジタルデータおよび第２のデジタルデータのビット値に応じて情報を出力する第２系統の伝送路と、を有することを特徴とする。
【発明の効果】
【００１１】
本発明のファイル用貼付シールセットによれば、安価なファイルに書類を収容して、その背表紙に書類の表題等を表示するとともに、収容した書類が廃棄されたり、倉庫やダンボール箱等に保存されたりして、ファイルの表題等が変更された場合でも、表題等の書き直しのために背表紙が汚くなることなく、何度も使用できるという効果が得られる。
【００１２】
本発明の情報処理装置によれば、書類を収容するファイルの背見出し部に表示されている識別コードの情報を管理する場合に、特別な管理コストを要することなく、現在広く普及している情報処理装置を利用して、ファイルに収容された書類が簡単に管理できるという効果が得られる。
【発明を実施するための最良の形態】
【００１３】
以下、本発明によるファイル用貼付シールセットの第１実施形態及び第２実施形態、及び、その貼付シールセットによりファイルの情報を管理する情報処理装置の実施形態について、図を参照して説明する。
【００１４】
図１ないし図３は、本発明のファイル用貼付シールセットを示している。図１は、第１実施形態及び第２実施形態のファイル用貼付シールの正面図及び側面図である。シール本体１は、一方（図の上部）が開口された透明な袋２が表面に設けられ、粘着性の接着層３が裏面に設けられ、その接着層３の表面は保護層４で覆われている。使用する場合には、保護層４を接着層３から剥がしてファイルの背表紙に貼付する。
【００１５】
図２は、シール本体１の透明な袋２に着脱可能に挿入される第２実施形態の識別カード５を示している。図３は、シール本体１を接着層３によってファイルの背表紙４０に貼付して、透明な袋２に識別カード５を挿入した状態を示す正面図及び側面図である。識別カード５は、下部５ａと上部５ｂを有し、下部５ａだけがシール本体１の透明な袋２に挿入され、上部５ｂは透明な袋２から露出し、識別カード５を容易に着脱できる構造になっている。また、下部５ａの端部近傍には、ファイルを識別するための識別コード（図２では、「０Ｆ０００６」）が印刷（又は、刻印）されている。識別カード５をシール本体１に挿入する際には、ファイルに収容された書類の標題を下部５ａの表面に記載してもよいし、他人に知られないように識別コードだけで管理してもよい。
【００１６】
第１実施形態及び第２実施形態におけるシール本体１の構成は同じであるが、識別カード５の構成が異なっている。第２実施形態の識別カード５は、図１ないし図３に示すように、上部５ｂの表面に２次元コードの１つであるＱＲコードが印刷されているが、図示しない第１実施形態の識別カード５は、上部５ｂの表面にはＱＲコードは印刷されていない。ただし、第１実施形態の識別カードも、ファイルを識別するための識別コードは印刷（又は、刻印）されている。第１実施形態の識別コードは、例えば、「Ｆ０００６」のように、「Ｆ」の前の数字はない。この理由については後述する。第２実施形態の識別カード５に印刷されたＱＲコードは、小さな正方形の点を横方向及び縦方向にマトリックス型に配列したものである。ＱＲコード以外のマトリックス型の２次元コード、例えば、コードワゴン、データコード、アレイタグ、ボックス固形コード、マキシコード、ベリコード、ソフトストリップ、ＣＰコード、カルラコード、ウルトラコードを用いてもよい。ＱＲコードの特徴は、図１ないし図３に示すように、識別カード５の上部５ｂの３箇所の「回」の字型のマークが印刷されていることである。この３箇所のマークは、位置を特定するためのファインダパターン（切り出しシンボル）であり、情報処理装置であるカメラ付きの携帯電話装置によって３６０度どの向きから撮像しても、情報を正確に読み取ることができる。最近では、インターネットのＵＲＬのデータをＱＲコードの中に含めて、キー操作を要することなく携帯電話装置によって直接そのＵＲＬのサイトにアクセスすることが行われている。
【００１７】
携帯電話装置又は他の情報処理装置は、カメラで撮像された画像の中から、まずファインダパターンを検出し、検出したファインダパターンに基づいてＱＲコードのデータを読み取る。この場合において、ファインダパターンを検出できた後に、ＱＲコードの撮像画像の画角及び撮像距離が合焦点になって撮像面に結像すると自動的にシャッタオン（画像の取り込み）になる。しかしながら、カメラの焦点が合わなければ、微小なパターンで構成されているＱＲコードを読み取ることができない。このためユーザは、ＱＲコードの近くで表示部の画面を見ながら合焦点になるように、すなわちシャッタオンになるまで携帯電話装置等の情報処理装置の位置を調整する必要がある。第２実施形態の識別カードは、この規定されているサイズに基づいてＱＲコードを読み取る際に、合焦点のためのユーザの位置調整をガイドするための枠画像を表示する。詳細についてはこの後の第３実施形態において説明する。
【００１８】
いま、２２０ミリ×３００ミリのサイズのボール紙又は合成樹脂（以下、「ボール紙等」）で複数の識別カードを作成する場合を想定する。識別カード５の寸法を横１２ミリ縦５０ミリ、横１２ミリ縦１００ミリ、横１２ミリ縦１５０ミリ、とすると約１０８個、５４個、３６個の識別カードを割り付けることができる。横１５ミリ縦６０ミリとすると、横１５ミリ縦１００ミリ、横１５ミリ縦１５０ミリ、約７０個、４２個、２８個の識別カードを割り付けることができる。横２０ミリ縦７５ミリ、横２０ミリ縦１００ミリ、横２０ミリ縦１５０ミリとすると、４４個、３３個、２２個の識別カードを割り付けることができる。横２５ミリ縦１１０ミリ、横２５ミリ縦２２０ミリとすると、２４個、１２個の識別カードを割り付けることができる。したがって、個々の識別カードにＱＲコードを印刷する場合には、２２０ミリ×３００ミリのサイズのボール紙等に割り付ける識別カードの枚数にかかわらず、１つの版を作成するだけで各識別カードに固有のデータを記録できる。個々の識別カードはミシン目によって分離できるようになっている。
【００１９】
複数個の識別カードのそれぞれには、例えば、「０Ｆ０００１」〜「０Ｆ＊＊＊＊」、「１Ｆ０００１」〜「１Ｆ＊＊＊＊」……「ｎＦ０００１」〜「ｎＦ＊＊＊＊」のように識別コードの文字が下部側に印刷される。「Ｆ」の文字の前の数字「０」、「１」、「２」……「ｎ」は、ＱＲコードの縦横のサイズ（角）を表している。本実施形態においては、「０」は１０〜１２ミリ角、「１」は１３〜１５ミリ角、「２」は１６〜１８ミリ角、「３」は１９〜２１ミリ角……になっている。ただし、この分類に固定するものではない。また、「Ｆ」の文字の後の数字は個々の識別カードに固有の番号が連番になっていて、各番号に対応するビットのデータがＱＲコードの一部に印刷される。ＤＴＰ（デスク・トップ・パブリッシング）の普及により、多種少量印刷も可能であるので、複数のボール紙等に亘って連番の識別コードのそれぞれに対応して固有のＱＲコードを印刷することもできる。
【００２０】
ＱＲコードに記録可能なデータ量は、縦横の１ビットに対応する個数が２１個（バージョン１）から１７７（バージョン４０）まで、バージョンによって異なるが、バージョン４０の場合には、記録可能なデータは約７，０８０個の数字、約４，２００個の英数字、約１，８００個のカナや漢字の文字である。第２実施形態においては、識別コードの［Ｆ」の後の番号は４桁の数字であるので、ＱＲコードにＵＲＬを含めたとしても、残り約７，０００個の数字を記録できることになる。そこで、第２実施形態においては、文化、スポーツ、学術のジャンルに関する豆知識の情報をさらに含めるようにしてもよい。例えば、外国語のことわざ、日本語の言葉の由来、料理のレシピ、ワインの産地とブランド名、スポーツの世界記録や国内記録及びそのアスリート、世界最大の山や河や湖、数学や科学の著名な法則、歴史上の著名な人物のエピソード等々の情報をＱＲコードに含めるようにしてもよい。あるいは、クイズの情報をＱＲコードに含めて、その解答をＵＲＬのサイトに送信して事務用品等の景品が当たるようなビジネスモデルにしてもよい。
【００２１】
図４は、ファイルの背表紙４０のシール本体１から識別カード５を抜き取って、新たな識別カード５に入れ替える様子を示している。例えば、収容した書類が廃棄されたり、倉庫やダンボール箱等に保存されたりして、それまでの書類がファイルから外されて、新たな書類を収容することによりファイルの表題等が変更された場合には、識別カード５を交換するだけで、同一のファイルを使用することができる。第１実施形態の識別カード５の場合には、後述する携帯電話装置（情報処理装置）において、新たな識別カード５の識別コードをキー操作によって登録する。一方、第２実施形態の識別カード５の場合には、その携帯電話装置において、新たな識別カード５のＱＲコードをカメラの撮像によって登録する。
【００２２】
以上のように、第１実施形態及び第２実施形態におけるファイル用貼付シールセットによれば、表面に透明な袋２を有するとともに背面に粘着層を有し、書類を収容するファイルの背見出し部に背面を貼り付けるシール本体１と、書類を識別するためにシール本体１の透明な袋２に着脱可能に挿入される識別カード５とを備えたので、安価なファイルに書類を収容して、その背表紙に書類の表題等を表示するとともに、収容した書類が廃棄されたり、倉庫やダンボール箱等に保存されたりして、ファイルの表題等が変更された場合でも、表題等の書き直しのために背表紙が汚くなることなく、何度も使用できる。この結果、経費の節減を可能にするだけでなく、紙資源を有効に利用することで森林の無用な伐採を抑制できるとともに、ゴミの排出量を削減することで地球の環境破壊も抑制できる。また、ユーザの必要に応じて使用することができる。
特に、第１実施形態のファイル用貼付シールセットによれば、極めて安価なコストで高い効果を得ることができる。識別コードも必ずしも印刷等を行う必要はなく、ユーザがファイルの書類を識別できるならば、後述する情報処理装置のメモリにキー操作で入力可能な文字、数字、記号を勝手に記載してもよい。
一方、第２実施形態のファイル用貼付シールセットによれば、識別カード５にＱＲコードを印刷又は刻印することで、そのＱＲコードの画像を撮像する機能を有する情報処理装置と協働して、ファイルに収容された書類が簡単に管理できる。
【００２３】
次に、ファイルに収容された書類を識別する識別コードの情報を管理する情報処理装置について、携帯電話装置を例に採って第３実施形態を説明する。図５は、第３実施形態における携帯電話装置１０の外観を示す図である。携帯電話装置１０は、ＬＣＤ（液晶表示装置）等からなる表示部１１（表示手段）、「ＭＥＮＵ」スイッチやテンキースイッチ等を有するスイッチ部１３（操作手段）、ＣＭＯＳの撮像素子を有するカメラ部（図示せず）等を備えており、第２実施形態及び第３実施形態における識別カードに表示されている２次元のＱＲコードを読み取ることができる。一般に、このようなアプリケーションソフトは、ツリー構造の操作手順になっている。例えば、「ＭＥＮＵ」スイッチのオンでツリーの「ルート（先頭）」を選択し、テンキースイッチのオンで「ノード又はブランチ（途中）」を選択し、テンキースイッチのオンで「リーフ（最終）」のＱＲコード読み取りを選択する。例えば、スイッチ部１３の「ＭＥＮＵ」スイッチ、テンキースイッチの「６」、「４」、「ｎ」を順にオンすることでＱＲコード読み取りモードを選択すると、カメラ部のＣＭＯＳの撮像素子で撮像された画像が表示部１１にスルー画像として表示されるとともに、表示部１１の略中央に円形の枠画像１２を表示する。この円形の枠画像１２の直径のサイズは、入力されたｎの値に基づいて決定される。
【００２４】
すなわち、入力されたｎの値が「０」、「１」、「２」、「３」……の場合には、各番号に対応する３種類のＱＲコードのうち真ん中の対角線のサイズ「１５．６」ミリ、「１９．８」ミリ、「２４．０」ミリ、「２８．３」ミリ……に対応した直径の円の枠画像１２を表示する。入力されたｎの値に対応する対角線のサイズすなわち被写体サイズをＤとすると、このＤで指定されるデータに基づいて、カメラ部によって撮像されるＱＲコードの画像が合焦点になるときの枠画像１２の直径Ｄｉを決定する。ユーザは、撮像されたＱＲコードの画像が円の枠画像１２に収まるように、携帯電話装置１０の位置を調整する。図６において、画像１４（ａ）はＱＲコードと携帯電話装置との距離が離れ過ぎている状態を表している。画像１４（ｂ）はＱＲコードと携帯電話装置との位置がずれている状態を表している。
【００２５】
図６は、ＱＲコードの画像１４（ｃ）が枠画像１２に丁度収まっている状態を表している。この場合には、被写体であるＱＲコードが合焦点位置となるので、自動的にシャッタオン（画像の取り込み）となり、表示部１１に表示されているスルー画像が静止画像として後述するＲＡＭに一時的に記憶される。枠画像１２はユーザに対して位置調整をガイドするためのものであり、実際には、カメラ部の光学系の画角及び被写界深度に基づく合焦点の範囲は、枠画像１２の範囲よりも広い。したがって、例えば、図６の画像１４（ａ）や画像１４（ｂ）の状態であっても、被写体であるＱＲコードが合焦点の範囲になったときは、自動的にシャッタオンとなる。ただし、枠画像１２の中にＱＲコードの画像が丁度収まっている状態がレンズ等の光学系の収差が最も小さいので、ＱＲコードの読み取りエラーも少なくなる。
【００２６】
図７は、識別カードの変形例を示す図である。第２実施形態においては、ＱＲコードのサイズを表す数字を識別コードの文字の中に含めるようにしたが、図７の変形例においては、ＱＲコードのサイズを表す数字をＱＲコードの中に含めるようにした。すなわち、図７（Ａ）、（Ｂ）、（Ｃ）、（Ｄ）に示すように、「０」、「１」、「２」、「３」の数字をＱＲコードの中に含める。第２実施形態における識別カードの場合と同様に、ユーザがスイッチ部１３の「ＭＥＮＵ」スイッチの後、テンキースイッチの「６」、「４」、ＱＲコード内の数字「ｎ」を順にオンすると、カメラ部のＣＭＯＳの撮像素子で撮像された画像が表示部１１にスルー画像として表示されるとともに、表示部１１の略中央に円形の枠画像１２を表示する。この円形の枠画像１２の直径のサイズは、入力されたｎの値に基づいて決定される。
【００２７】
図８は、第３実施形態における携帯電話装置１０がパソコン３０にケーブル３１を介して接続される外観図である。パソコン３０は、ファイルに収容する書類を作成するために使用される。あるいは、既に作成されている書類に関連するデータを作成するために使用される。例えば、書類の標題、作成の日付、作成者、内容の抄録、及びその他書類に関連する情報を作成するために使用される。携帯電話装置１０はパソコン３０と通信することにより、書類に関連するデータを送受信する。
【００２８】
図９は、携帯電話装置１０の内部構成を示すブロック図である。図９において、ＣＰＵ２１（制御手段）は、携帯電話装置１０を制御する制御手段であり、そのシステムバスを介して、表示部１１、スイッチ部１３、携帯電話の制御プログラムや初期データを格納しているＲＯＭ２２、ＣＰＵ２１のワークエリアであるＲＡＭ２３、電話やメールの送受信を行うための公衆無線送受信部２４、レンズ等の光学系やＣＭＯＳ撮像素子等からなるカメラ部２５（撮像手段）、不揮発性の書き替え可能なフラッシュメモリ２６（記憶手段）、パソコン３０との間でデータの送受信を中継するパソコンＩ／Ｆ（インタフェース）２７、図８のケーブル３１の代わりにパソコン３０との間でBluetooth（登録商標）の近距離無線通信を行う無線通信部２８、カメラ部２５の撮像によって取得した画像のノイズを低減するためのノイズ低減部２９（ノイズ低減手段）に接続されている。
【００２９】
図１０ないし図１２は、ＣＰＵ２１によって実行されるＱＲコード利用の動作を示すフローチャートである。また、図１３ないし図１８は、ＣＰＵ２１の処理に応じて携帯電話装置１０の表示部１１に表示される画像である。以下、図５ないし図１８に基づいて、携帯電話装置１０の動作を説明する。
【００３０】
図１０はＣＰＵ２１のメインルーチンのフローチャートである。初期メニュー表示（ステップＳ１）の後、スイッチ部１３の「ＭＥＮＵ」スイッチがオンされたか否かを判別し（ステップＳ２）、このスイッチがオンされたときは、テンキースイッチで「６」、「４」、「ｎ（＝０，１，２，３）」がオンされたか否かを判別する（ステップＳ３）。「ＭＥＮＵ」スイッチがオンでない場合には、電話処理、メール処理、別のアプリケーション処理などの他の処理を実行する（ステップＳ４）。「６」、「４」、「ｎ」のテンキースイッチが順次オンされた場合、すなわち、ＱＲコードの読み取り操作がされた場合には、カメラ部２５をオンにしてＱＲコードを撮像して、図５に示したように、表示部１１にスルー画像１４を表示するとともに、ｎの数字に対応した枠画像１２を表示する（ステップＳ２５）。そして、撮像したＱＲコードの画像は合焦点であるか否かを判別し（ステップＳ２６）、焦点が合っていない場合には、距離と位置を枠に合わせる旨のメッセージを表示する（ステップＳ７）。ＱＲコードの画像が合焦点になると、その静止画像を取り込んでノイズ低減部２９のメモリに記憶する（ステップＳ８）。ＣＰＵ２１は、ノイズ低減部２９のメモリに記憶したＱＲコードの静止画像に対して、ノイズ低減処理、エッジ抽出処理、直線抽出処理などの画像処理を実行する。
【００３１】
ＣＰＵ２１は、画像処理したＱＲコードの画像から識別カードに固有の識別コードであるファイル番号（Ｆ＊＊＊＊）のデータ、登録日時、ＵＲＬのデータ、及びその他のデータ（例えば、豆知識の情報やクイズの情報）を取得してＲＡＭ２３に一時的に記憶する（ステップＳ９）。次に、取得したデータを表示する（ステップＳ１０）。図１３は、取得データＤ１及びユーザによって追加される入力データのエリアＤ２の画面を示す図である。取得データＤ１は、ファイル番号「Ｆ００５０」、登録日時、及び、このＱＲコードの固有データである。
【００３２】
次に、ＣＰＵ２１は、スイッチ部１３によってデータが入力されたか否かを判別し（ステップＳ１１）、データが入力されたときは、その入力データをＲＡＭ２３に記憶するとともに表示部１１に表示する（ステップＳ１２）。データの入力は、カーソルスイッチ及び文字キーの操作で行われる。図１３の例では、ファイルの内容として入力された「特許出願明細書」等をＲＡＭ２３に記憶して表示する。次に、カーソルスイッチによって登録アイコンが選択され、決定スイッチがオンされたか否かを判別する（ステップＳ１３）。登録決定がされたときは、ＲＡＭ２３に一時的に記憶しているデータを不揮発性のフラッシュメモリ２６に格納する（ステップＳ１４）。そして、ステップＳ１に移行して初期メニューを表示する。
【００３３】
ＣＰＵ２１は、ステップＳ３において、「６」、「４」、「ｎ」のテンキースイッチがオンされない場合には、メール、電話帳／履歴、ツール、設定、ファイル等のメニュー画面を表示し（ステップＳ１５）、ファイルのメニューが選択されたか否かを判別する（ステップＳ１６）。ファイル以外の他のメニューが選択された場合には、選択された他のメニュー処理を行う（ステップＳ１７）。一方、ファイルのメニューが選択された場合には、ファイルメニューを表示する（ステップＳ１８）。図１４は、ファイルメニューＤ３の画面を示す図である。この画面には、「ファイル検索」、「ファイル更新」、「ファイル削除」、「ファイル送受信」のメニューアイコンが表示される。ＣＰＵ２１は、カーソルスイッチによってカーソル移動の操作がされたか否かを判別し（ステップＳ１９）、カーソル移動の操作がされたときは、メニューアイコンの反転表示位置を変更する（ステップＳ２０）。そして、決定スイッチによってメニュー選択の操作がされたか否かを判別し（ステップＳ２１）、メニュー選択の操作がされたときは、メニュー処理を実行する（ステップＳ２２）。メニュー処理が終了すると、ステップＳ１に移行して初期メニューを表示する。
【００３４】
図１１及び図１２は、図１０のメニュー処理のフローチャートである。図１１において、ＣＰＵ２１は、まず、ファイルリストを表示する（ステップＳ３１）。図１５は、ファイルリストＤ４の画面を示す図である。次に、カーソルスイッチによってカーソル移動の操作がされたか否かを判別し（ステップＳ３２）、カーソル移動の操作がされたときは、ファイル番号の反転表示位置を変更する（ステップＳ３３）。そして、決定スイッチによって反転表示のファイルが選択されたか否かを判別し（ステップＳ３４）、ファイルが選択されたときは、ファイル内容を表示する（ステップＳ３５）。図１６は、選択されたファイル内容Ｄ５の画面を示す図である。この画面には、ファイル番号、登録日時、及び、基本的なファイル内容が表示される。図１６の例では、日本及び米国に出願された特許出願の整理番号、名称、及び出願番号が基本的なファイル内容として表示されている。さらに、「詳細データ」、「関連ファイル」、「ＵＲＬ」の選択アイコンが表示される。この場合にＵＲＬとしては、例えば、日本特許庁、米国特許庁、欧州特許庁、技術情報を提供するサイトなどのＵＲＬがある。
【００３５】
次に、ＣＰＵ２１は、図１４のファイルメニューＤ３の画面で選択されたファイルメニューに対応した処理を実行する。選択されたファイルメニューがファイル検索であるか否かを判別し（ステップＳ３６）、ファイル検索である場合には、図１６の画面においてカーソルスイッチによってカーソル移動の操作がされたか否かを判別し（ステップＳ３７）、カーソル移動の操作がされたときは、選択アイコンの反転表示位置を変更する（ステップＳ３８）。そして、決定スイッチによって詳細データのアイコンが選択されたか否かを判別し（ステップＳ３９）、このアイコンが選択されたときは、フラッシュメモリ２６に記憶されている詳細データを読み出して表示する（ステップＳ４０）。図１７は、基本的なファイル内容Ｄ６及び詳細データＤ７の画面を示す図である。この詳細データは、図８のパソコン３０で作成されたものであり、ケーブル３１又は無線通信部２８を介して、後述するデータ送受信処理によってパソコン３０から受信してフラッシュメモリ２６に記憶したデータである。
【００３６】
ＣＰＵ２１はまた、図１６の画面において、決定スイッチによって関連ファイルのアイコンが選択されたか否かを判別し（ステップＳ４１）、このアイコンが選択されたときは、フラッシュメモリ２６に記憶されている関連ファイルを読み出して表示する（ステップＳ４２）。図１８は、基本的なファイル内容Ｄ６及び関連ファイルＤ８の画面を示す図である。この関連ファイルのデータは、携帯電話装置１０で作成されて、又は、パソコン３０から受信して、フラッシュメモリ２６に記憶したデータである。図１８の画面において、いずれかの関連ファイルがカーソルスイッチ及び決定スイッチによって選択されたときは、その関連ファイルをフラッシュメモリ２６から読み出して表示する。
【００３７】
ＣＰＵ２１はまた、図１６の画面において、決定スイッチによってＵＲＬのアイコンが選択されたか否かを判別し（ステップＳ４３）、このアイコンが選択されたときは、そのＵＲＬに対してアクセスする（ステップＳ４４）。例えば、出願された特許出願の関連ファイルを提供するＵＲＬにアクセスすることが考えられる。
【００３８】
ＣＰＵ２１は、ステップＳ３６において、選択されたファイルメニューがファイル検索でない場合には、図１２のフローチャートにおいて、選択されたファイルメニューがファイル更新であるか否かを判別し（ステップＳ４６）、ファイル更新である場合には、データの入力がされたか否かを判別し（ステップＳ４７）、データが入力されたときは、ファイルのデータを更新する（ステップＳ４８）。選択されたファイルメニューがファイル更新でない場合には、選択されたファイルメニューがファイル削除であるか否かを判別し（ステップＳ５０）、ファイル削除である場合には、ファイルを削除する（ステップＳ５１）。例えば、ユーザは、図４に示したように、ファイル番号「２Ｆ０００６」の識別カード５をファイルから外してファイル番号「２Ｆ００５０」の識別カード５に変更した場合には、図１４の画面においてファイル削除を選択し、図１５の画面においてファイル番号「Ｆ０００６」を選択する。
【００３９】
ＣＰＵ２１は、ステップＳ５０において、選択されたファイルメニューがファイル削除でない場合には、選択されたファイルメニューがファイル送受信であるか否かを判別し（ステップＳ５２）、ファイル送受信である場合には、パソコン３０にアクセスして（ステップＳ５３）、データの送受信を実行する（ステップＳ５４）。例えば、ユーザは、パソコン３０で作成された詳細データなどを受信し、ファイル更新やファイル削除によってフラッシュメモリ２６のデータが変更された場合には、その変更内容をパソコン３０に送信して、お互いのデータのメンテナンスを行う。
【００４０】
以上のように、上記第３実施形態によれば、携帯電話装置１０は、スイッチ部１３と、複数のＱＲコード及び各ＱＲコードに関連する情報のデータベースを有するフラッシュメモリ２６と、カメラ部２５と、表示部１１と、スイッチ部１３によりＱＲコード読み取りの指令が入力されたときは、カメラ部２５によって撮像されるＱＲコードの画像の画角をガイドする枠画像１２を表示部１１に表示し、カメラ部２５で撮像されたＱＲコードの画像が合焦点になったときの静止画像を取り込み、その静止画像からＱＲコードを抽出してフラッシュメモリ２６のデータベースに記憶するとともに、スイッチ部１３又はパソコン３０からＱＲコードに関連する情報が入力されたときは、その関連するＱＲコードに対応させて入力された情報をフラッシュメモリ２６のデータベースに記憶するＣＰＵ２１と、を備えている。したがって、現在広く普及している携帯電話装置１０を利用して、ファイルに収容された書類が簡単に管理できる。
【００４１】
この場合において、ＣＰＵ２１は、スイッチ部１３によって入力されたＱＲコード読み取りの指令（「６」、「４」、「ｎ＝０，１，２，３等」のテンキースイッチのオン操作による指令）に含まれているデータ（０，１，２，３等）に基づいて、カメラ部２５によって撮像されるＱＲコードの画像が合焦点になるときの枠画像１２のサイズを決定する。したがって、ユーザの簡単なスイッチ操作に基づいて、枠画像のガイド機能により容易にＱＲコードの撮像が可能になる。
【００４２】
図１９及び図２０は、本発明の識別カードに印刷又は刻印するＱＲコードのパターンを示す第４実施形態及び第５実施形態の図である。図５及び図６において説明したように、上記の実施形態では、携帯電話装置１０のカメラ部２５でＱＲコード５ｃを撮像する際に、合焦点になるために撮像をガイドするための枠画像１２を表示するようにしたが、この枠画像１２の大きさはスイッチ部１３からＱＲコードのサイズに対応する数値「ｎ」によって決定される。しかし、第４実施形態及び第５実施形態の場合には、スイッチ部１３からの入力される数値「ｎ」に依よらず自動的に決定する。
【００４３】
図１９において、識別カードの上部５ｂのＱＲコード５ｃのパターンに含まれている３箇所のファインダパターン５ｄ（１）ないし５ｄ（３）のそれぞれの中央部５ｅ（１）ないし５ｅ（３）は、黒又は赤で表示されている。いま、中央部の３箇所のすべてが黒の場合を「０」、中央部の２箇所が黒で１箇所が赤の場合を「１」、中央部の１箇所が黒で２箇所が赤の場合を「２」、中央部の３箇所のすべてが赤の場合を「３」とする。図２０の場合には、ＱＲコード５ｃのパターン内に黒、赤、緑、青のいずれかの色で印刷又は刻印されたカラーファインダパターン５ｆを設ける。この場合において、ＱＲコードのサイズに対応して、黒は「０」、赤は「１」、緑は「２」、青は「３」とする。
【００４４】
本発明の実施形態においては、カメラ部２５の撮像素子をＣＭＯＳで構成しているので、スルー画像からＲ（赤）信号、Ｇ（緑）信号、Ｂ（青）信号を独立して出力できる。したがって、独立して出力されたＲ信号、Ｇ信号、Ｂ信号のそれぞれについて、１画面の画素データをＲＡＭ２３にストアすると、３つの画面のすべてがハイレベルの画素データは白のパターンであり、すべてがローレベルの画素データは黒のパターンである。それ以外の画素データは、赤、緑、又は、青のパターンである。したがって、３つの画面に共通するハイレベルの画素データを除いた残りのハイレベルの画素データから、赤の画素データ、緑の画素データ、青の画素データを抽出できる。携帯電話装置１０のＣＰＵ２１は、撮像されたＱＲコード５ｃのパターンのスルー画像が合焦点にならなければ、静止画像として取り込むことはできない。しかし、ＱＲコード５ｃのパターンに含まれている色については、スルー画像が合焦点にならなくても認識することができる。したがって、ＱＲコードのサイズに対応して、ＱＲコード５ｃのパターンの所定位置に色を印刷又は刻印することにより、スルー画像から得られる色信号を判別することによって、自動的に枠画像の大きさを決定することができる。
【００４５】
図２１は、第４実施形態及び第５実施形態におけるＣＰＵ２１のメインルーチンの一部のフローチャートである。ＣＰＵ２１は、スルー画像から得られる色信号によって、自動的に枠画像の大きさを決定する。ステップＳ２において、テンキースイッチによって「６」、「４」が入力されると、ＣＰＵ２１は、カメラ部２５から得られるスルー画像から、カラー画像の検出を行って（ステップＳＸ１）、カラー画像から「０」、「１」、「２」、「３」の数値の検出結果を得て（ステップＳＸ２）、その値をレジスタｎにストアする（ステップＳＸ３）。そして、ｎの値に対応した大きさの枠画像を表示する（ステップＳ５）。この後は、図１０のフローチャートと同じである。
【００４６】
以上のように、第４実施形態及び第５実施形態においては、ＣＰＵ２１は、スイッチ部１３によってコード読み取りの指令が入力されたときは、カメラ部２５によって撮像されるＱＲコードの画像の中から特定の色彩の画像の有無を検出し、その検出結果に基づいて撮像されるＱＲコードの画像が合焦点になるときの枠画像１２のサイズを決定する。したがって、撮像するＱＲコードのサイズを自動的に検出して、枠画像のガイド機能により容易にＱＲコードの撮像が可能になる。
【００４７】
上記したように、ＣＰＵ２１は、ＱＲコードの静止画像に対して、画像の中に含まれる高周波成分を除去するためのノイズ低減処理を行うが、そのノイズ低減処理においては、従来のローパスフィルタによる平均化処理を行うと画像のエッジ部分も除去されてしまうので、メディアンフィルタによる中間値演算処理を行う。図２２は、本発明の携帯電話装置１０のノイズ低減部２９の内部のブロック図である。図２２において、静止画像メモリ１００は、それぞれ１画面の静止画像を記憶するフレームメモリ１及びフレームメモリ２で構成されている。カメラ部２５から得られる１画面の静止画像はフレームメモリ１に記憶される。メディアンフィルタ回路２００は、フレームメモリ１に記憶された複数の画素データの中から、ノイズ低減の対象となる１つの画素データとそれに隣接する８個の画素データを読み出して、その９個の画素データをレベルの大きい順に、レジスタブロックＢＬ（１）ないしＢＬ（９）にストアする。そして、中間値をストアしたレジスタブロックＢＬ（５）の画素データをノイズ低減の対象となる画素データに代えて、フレームメモリ２の対応するアドレスに記憶する。フレームメモリ１の１画面の画素データをフレームメモリ２の対応するアドレスに記憶すると、フレームメモリ２の１画面の画素データをＲＡＭ２３に転送して、ノイズが低減された静止画像からＱＲコードのデータを取得する。
【００４８】
図２３ないし図２５は、図２２のメディアンフィルタ回路２００の９個のレジスタブロックＢＬ（１）ないしＢＬ（９）の回路図である。これら９個のレジスタブロックに９個の画素データをレベルの大きい順にストアするために、フレームメモリ１から読み出したｎビット（例えば、８ビット）の画素データの値と現在ストアしているｎビットの画素データの値とを比較するｎビットのコンパレータ回路１２ないし９２が各レジスタブロックＢＬ（１）ないしＢＬ（９）に組み込まれている。
【００４９】
図２６は、このｎビットのコンパレータ回路のＩＣの回路図である。このコンパレータ回路は、最上位ビットであるａ（ｎ−１），ｂ（ｎ−１）から最下位ビットであるａ０，ｂ０までの第１のデジタルデータ及び第２のデジタルデータからなる２系統のデジタルデータの大小を比較する。各ビット比較回路は、排他的論理和回路（ＸＯＲ）、インバータ回路（ＩＮＶ）、２入力のＡＮＤ回路（２ＡＮ）、オープンコレクタの３入力のＮＡＮＤ回路（３ＮＡ）で構成されている。また、すべてのＮＡＮＤ回路のオープンコレクタの出力は、ワイヤードオア（ＷＯＲ）によって外付けのプルアップ抵抗Ｒ２に接続され、コンパレータ回路は負論理の信号を出力する。すなわち、いずれか１つの比較回路のＮＡＮＤ回路から「０」が出力されると、「０」の信号を出力し、すべての比較回路のＮＡＮＤ回路から「１」が出力されると、「１」の信号を出力する。次に、図２６のコンパレータ回路の動作について説明する。
【００５０】
ｉが「０」ないし「（ｎ−１）」のいずれかの任意のビットａｉ，ｂｉを比較する比較回路において、排他的論理和回路は、２つの入力ビットａｉ，ｂｉが一致する場合は一致信号「０」を出力し、不一致である場合は不一致信号「１」を出力する。ＡＮＤ回路は、インバータ回路で反転された一致信号「１」又は不一致信号「０」と、上位ビットのＡＮＤ回路から受信した一致信号「１」又は不一致信号「０」との論理積を、下位ビットの比較回路に対して、一致信号「１」又は不一致信号「０」として送信する。ＮＡＮＤ回路は、上位ビットのＡＮＤ回路から受信した一致信号「１」又は不一致信号「０」、排他的論理和回路から受信した一致信号「０」又は不一致信号「１」、及び、入力ビットａｉ「１」又は「０」の論理積を出力する。ただし、最上位ビットａ（ｎ−１），ｂ（ｎ−１）のＮＡＮＤ回路及びＡＮＤ回路の１つの入力端子はプルアップ抵抗Ｒ１によって常にハイレベル「１」に固定されている。したがって、ＮＡＮＤ回路は、上位ビットのＡＮＤ回路から（又は、抵抗Ｒ１によって）一致信号「１」を受信し、且つ、排他的論理和回路から不一致信号「１」を受信したときに、入力ビットａｉの値に応じて「１」又は「０」を出力し、上位ビットのＡＮＤ回路から不一致信号「０」を受信したとき、又は、排他的論理和回路から一致信号「０」を受信したときは、入力ビットａｉの値にかかわらず常に「１」を出力する。この結果、最上位ビット（ｎ−１）の比較回路においては、ａ（ｎ−１）＞ｂ（ｎ−１）の場合には、ＮＡＮＤ回路は「０」を出力し、ａ（ｎ−１）≦ｂ（ｎ−１）の場合には、ＮＡＮＤ回路は「１」を出力する。そして、ＡＮＤ回路から不一致信号「０」を下位の比較回路に送信するので、それ以下の下位の比較回路は順に不一致信号「０」を送信する。この結果、ビット（ｎ−２）以下の他の下位ビットのＮＡＮＤ回路はすべて「１」を出力する。いま、ａ（ｎ−１）ないしａ０をｎビットデータＡとし、ｂ（ｎ−１）ないしｂ０をｎビットデータＢとすると、コンパレータ回路は、Ａ＞Ｂの場合は「０」を出力し、Ａ≦Ｂの場合は「１」を出力する。
【００５１】
一方、最上位ビット以外の任意のビットａｉ，ｂｉの比較回路においては、上位の比較回路から一致信号「１」を受信し、且つ、排他的論理和回路から不一致信号「１」を受信したときに、入力ビットａｉの値に応じて「１」又は「０」を出力するので、ａｉ＞ｂｉの場合には、ＮＡＮＤ回路は「０」を出力し、ａｉ≦ｂｉの場合には、ＮＡＮＤ回路は「１」を出力する。この結果、コンパレータ回路は、Ａ＞Ｂの場合は「０」を出力し、Ａ≦Ｂの場合は「１」を出力する。
【００５２】
このように、図２６のコンパレータ回路は、入力された複数ビットからなる第１のデジタルデータであるａ（ｎ−１），ａ（ｎ−２）…ａ０、及び、第２のデジタルデータであるｂ（ｎ−１），ｂ（ｎ−２）…ｂ０をビットごとに比較する複数のビット比較回路で構成され、各ビット比較回路は、上位のビットの比較回路から下位のビットの比較回路に情報を伝達する第１系統の伝送路（ＡＮＤ回路のカスケード接続の伝送路）と、比較すべき第１のデジタルデータおよび第２のデジタルデータのビット値に応じて情報を出力する第２系統の伝送路（排他的論理和回路から３ＮＡＮＤ回路に至る伝送路）とを有する。
【００５３】
さらに詳しくは、各ビット比較回路は、入力された１ビットの第１のデジタルデータおよび第２のデジタルデータのビット値が一致する場合は一致信号を発生し、そのビット値が不一致の場合は不一致信号を発生する入力回路（排他的論理和回路）と、入力回路によって不一致信号が発生された場合、又は、上位のビット比較回路から不一致信号が受信された場合には、下位のビット比較回路に対して不一致信号を送信し、入力回路によって一致信号が発生され、且つ、上位のビット比較回路から一致信号が受信された場合には、下位のビット比較回路に対して一致信号を送信する送受信回路（ＡＮＤ回路）と、入力回路によって不一致信号が発生され、且つ、送受信回路によって上位のビット比較回路から一致信号が受信された場合には、入力回路に入力されている第１のデジタルデータを出力する出力回路（ＮＡＮＤ回路）を有する。
この場合において、送受信回路は、上位のビット比較回路から１ビットの不一致信号又は一致信号を受信し、下位のビット比較回路に対して１ビットの不一致信号又は一致信号を送信する。
【００５４】
例えば、本願発明のコンパレータ回路を８ビット構成にした場合、各ビット比較回路を８個有する回路になる。これを従来の８ビットのコンパレータ回路と比較すると、本願発明のコンパレータ回路の顕著な特徴が明らかになる。図２７及び図２８の２つの図面に亘って記載された回路は、現在市販されている８ビットのコンパレータ回路を示している。従来のコンパレータ回路の場合には、上位のビットの比較回路から下位のビットの比較回路に情報を伝達する伝送路と、比較すべき２系統のデジタルデータのビット値に応じて情報を出力する伝送路とが、入力側から出力側に至る同一方向の経路になっている。このため、図２７及び図２８に示すように、個々の回路を接続するパターン数が非常に多くなっている。これに対して、図２６のコンパレータ回路は個々の回路を接続するパターン数が圧倒的に少ない。したがって、図２６のコンパレータ回路は回路規模が小さくなるとともに、接続パターンに起因する浮遊容量が圧倒的に小さくなり、信号の遅延や歪みも小さくなる。この結果、図２６のコンパレータ回路は極めて高速の信号処理が可能となり、図２６のコンパレータ回路を組み込んだ図２２のメディアンフィルタ回路も高速のノイズ低減処理が可能となる。
【００５５】
また、図２７及び図２８のコンパレータ回路は、カスケード接続することができないので、１６ビット、２４ビット、３２ビット、４０ビット…のコンパレータ回路を構成することができない。これに対して、図２６のｎビットのコンパレータ回路は、端子ｄを上位のコンパレータ回路の端子ｅに接続し、端子ｅを下位のコンパレータ回路の端子ｄに接続し、各ビットの比較回路のＮＡＮＤ回路の出力をワイヤードオアで接続することで、容易にカスケード接続ができる。例えば、図２６のコンパレータ回路を８ビットとすると、カスケード接続することによって、１６ビット、２４ビット、３２ビット、４０ビット…のコンパレータ回路を構成することができる。また、上記の動作説明で明らかなように、任意の数のビット比較回路をカスケード接続することができるので、カメラ部２５から得られる画素データのビット数に応じて、自在な回路構成を容易に設計することができる。
【００５６】
以上のように、上記実施形態におけるコンパレータ回路によれば、入力された複数ビットからなる第１のデジタルデータであるａ（ｎ−１），ａ（ｎ−２）…ａ０、及び、第２のデジタルデータであるｂ（ｎ−１），ｂ（ｎ−２）…ｂ０をビットごとに比較する複数のビット比較回路で構成され、各ビット比較回路は、上位のビットの比較回路から下位のビットの比較回路に情報を伝達する第１系統の伝送路（図２６においてＡＮＤ回路のカスケード接続された縦方向の伝送路）と、比較すべき第１のデジタルデータおよび第２のデジタルデータのビット値に応じて情報を出力する第２系統の伝送路（図２６において排他的論理和回路からＮＡＮＤ回路に至る横方向の伝送路）と、を有する。したがって、回路規模が小さくなるだけでなく、接続パターンに起因する浮遊容量が圧倒的に小さくなり、信号の遅延や歪みも小さくなり、極めて高速の信号処理が可能となる。したがって、本発明のコンパレータ回路を組み込んだメディアンフィルタ回路も高速のノイズ低減処理が可能となり、識別カードのＱＲコードを撮像した画像のノイズを高速に低減できる。
【００５７】
なお、ＱＲコードがない第１実施形態の識別カードの場合には、携帯電話装置１０のスイッチ部１３の操作によって、印刷又は刻印された識別コード又はユーザが決定した識別コードを入力し、その識別コードに対応する書類の管理情報をスイッチ部１３、又は、パソコン３０から入力することにより、識別カードによってファイルに収容される書類を管理することができる。
【図面の簡単な説明】
【００５８】
【図１】本発明の実施形態のファイル用貼付シールセットのシール本体の構造を示す図。
【図２】図１のシール本体に挿入される識別カードを示す図。
【図３】図１のシール本体に識別カードが挿入された状態を示す図。
【図４】図１のシール本体の識別カードを差し替える状態を示す図。
【図５】本発明の実施形態の携帯電話装置で撮像されたＱＲコードの画像及び枠画像を示す図。
【図６】本発明の実施形態の携帯電話装置で撮像されたＱＲコードの画像が合焦点になった状態を示す図。
【図７】本発明の実施形態の様々な態様の識別カードを示す図。
【図８】本発明の実施形態の携帯電話装置とパソコンとを接続する場合を示す図。
【図９】図８の携帯電話装置の内部構成を示すブロック図。
【図１０】図９のＣＰＵによって実行されるメインルーチンのフローチャート。
【図１１】図１０のファイルメニュー処理のサブルーチンのフローチャート。
【図１２】図１１に続くファイルメニュー処理のサブルーチンのフローチャート。
【図１３】本発明の実施形態の携帯電話装置の表示画面を示す図。
【図１４】本発明の実施形態の携帯電話装置の表示画面を示す図。
【図１５】本発明の実施形態の携帯電話装置の表示画面を示す図。
【図１６】本発明の実施形態の携帯電話装置の表示画面を示す図。
【図１７】本発明の実施形態の携帯電話装置の表示画面を示す図。
【図１８】本発明の実施形態の携帯電話装置の表示画面を示す図。
【図１９】本発明の実施形態の識別カードのＱＲコードのパターンを示す図。
【図２０】本発明の実施形態の識別カードのＱＲコードのパターンを示す図。
【図２１】図９のＣＰＵによって実行される一部のフローチャート。
【図２２】図９のノイズ低減部の内部構成を示すブロック図。
【図２３】図２２のノイズ低減部のメディアンフィルタの回路図。
【図２４】図２３に続くメディアンフィルタの回路図。
【図２５】図２４に続くメディアンフィルタの回路図。
【図２６】図２３のメディアンフィルタのデジタルコンパレータの回路図。
【図２７】従来の８ビットのデジタルコンパレータの回路図。
【図２８】図２７に続く８ビットのデジタルコンパレータの回路図。
【符号の説明】
【００５９】
１  シール本体
２  透明な袋
３  接着層
５  識別カード
１０  携帯電話装置
１１  表示部
１２  枠画像
１３  スイッチ部
１４  ＱＲコードの画像
２１  ＣＰＵ
２５  カメラ部
２６  フラッシュメモリ
２９  ノイズ低減部
３０  パソコン
１００  静止画像メモリ
２００  メディアンフィルタ回路
【図１】
2009119818.tif 000003
【図２】
2009119818.tif 000004
【図３】
2009119818.tif 000005
【図４】
2009119818.tif 000006
【図５】
2009119818.tif 000007
【図６】
2009119818.tif 000008
【図７】
2009119818.tif 000009
【図８】
2009119818.tif 000010
【図９】
2009119818.tif 000011
【図１０】
2009119818.tif 000012
【図１１】
2009119818.tif 000013
【図１２】
2009119818.tif 000014
【図１３】
2009119818.tif 000015
【図１４】
2009119818.tif 000016
【図１５】
2009119818.tif 000017
【図１６】
2009119818.tif 000018
【図１７】
2009119818.tif 000019
【図１８】
2009119818.tif 000020
【図１９】
2009119818.tif 000021
【図２０】
2009119818.tif 000022
【図２１】
2009119818.tif 000023
【図２２】
2009119818.tif 000024
【図２３】
2009119818.tif 000025
【図２４】
2009119818.tif 000026
【図２５】
2009119818.tif 000027
【図２６】
2009119818.tif 000028
【図２７】
2009119818.tif 000029
【図２８】
2009119818.tif 000030
【手続補正書】
【提出日】平成19年11月29日(2007.11.29)
【手続補正１】
【補正対象書類名】図面
【補正対象項目名】全図
【補正方法】変更
【補正の内容】
【図１】
2009119818.tif 000031
【図２】
2009119818.tif 000032
【図３】
2009119818.tif 000033
【図４】
2009119818.tif 000034
【図５】
2009119818.tif 000035
【図６】
2009119818.tif 000036
【図７】
2009119818.tif 000037
【図８】
2009119818.tif 000038
【図９】
2009119818.tif 000039
【図１０】
2009119818.tif 000040
【図１１】
2009119818.tif 000041
【図１２】
2009119818.tif 000042
【図１３】
2009119818.tif 000043
【図１４】
2009119818.tif 000044
【図１５】
2009119818.tif 000045
【図１６】
2009119818.tif 000046
【図１７】
2009119818.tif 000047
【図１８】
2009119818.tif 000048
【図１９】
2009119818.tif 000049
【図２０】
2009119818.tif 000050
【図２１】
2009119818.tif 000051
【図２２】
2009119818.tif 000052
【図２３】
2009119818.tif 000053
【図２４】
2009119818.tif 000054
【図２５】
2009119818.tif 000055
【図２６】
2009119818.tif 000056
【図２７】
2009119818.tif 000057
【図２８】
2009119818.tif 000058